(57)【要約】      （修正有）【課題】一般住宅や集合住宅のバルコニーや緩勾配屋根等の立上がり部防水納まり構造において、改修後の防水信頼性を向上し、容易に改修できる立上がり部の防水納まり構造及びその改修方法を提案する。【解決手段】平場及び立上がり部に貼り込んだ平場防水シート２と立上がり防水シート１とを重ね貼りし、絶縁体４を介してその上に絶縁体４より幅の広い増し貼りシート３で覆うようにし、該増し貼りシート３を平場防水シート２及び立上がり防水シート１に重ね貼りする立上がり部の防水納まり構造。さらに、改修時に、既設の増し貼りシート３の下側端部を、既設の平場防水シート２との接合ラインに沿って切り裂き、中の絶縁体４を取り出し、改修用の平場防水シート２を既設の増し貼りシート３と重なるように既設の平場防水シート上２に重ね貼りし、改修用の平場防水シート２と既設の増し貼りシート３とを溶着接合する立上がり部防水改修方法。【選択図】    図１
2007146367.tif 000002
【特許請求の範囲】
【請求項１】
バルコニーや屋根の立上がり部防水納まり構造において、平場及び立上がり部に貼り込んだ平場防水シートと立上がり防水シートとを重ね貼りし、絶縁体を介してその上に絶縁体より幅の広い増し貼りシートで覆うようにし、該増し貼りシートを平場防水シート及び立上がり防水シートに重ね貼りすることを特徴とする立上がり部の防水納まり構造。
【請求項２】
請求項１に記載の立上がり部の防水納まり構造の改修時に、既設の増し貼りシートの下側端部を、既設の平場防水シートとの接合ラインに沿って切り裂き、中の絶縁体を取り出し、改修用の平場防水シートを既設の増し貼りシートと重なるように既設の平場防水シート上に重ね貼りし、改修用の平場防水シートと既設の増し貼りシートとを溶着接合することを特徴とする立上がり部防水改修方法。
【発明の詳細な説明】
【技術分野】
【０００１】
一般住宅や集合住宅のバルコニーや緩勾配屋根の平場から壁面立上がり部等の防水納まり構造に関するもので、特に、防水シート施工後、サイディング等の内壁面仕上げ材が防水シート上に取付けられる場合において、改修時に立上がり部の防水信頼性を向上し、加えて、改修が容易に実施できる立上がり部の防水納まり構造及び改修方法に関するものである。
【背景技術】
【０００２】
一般住宅のバルコニーや緩勾配屋根の平場から内壁面側及び室内側に立上げる防水シートの納まり構造は、通常、以下のような方法で形成される。先ず、平場に防水シートを内壁面側及び室内側の立上がり部際まで貼り込み、立上がり部の任意の高さから防水シートを貼り下げてきて、平場部分で平場に貼り付けた防水シートと４０〜６０ｍｍ重ね合わせながら溶着接合する。次に、内壁面側立上がり部においては、サィデイング材等の内壁面仕上げ材が、立上がり防水シートを被うように内壁面上部から平場より３０〜２００ｍｍの高さの位置まで取付けられる。室内側の開口部においては、窓や雨戸等のサッシ部材を平場から３０〜２００ｍｍ高さに取付けて仕上げる。
【０００３】
立上がり部に防水シートを施工後、後付けでサイディング等の内壁面仕上げ材や雨戸やサッシ枠等の出物を設置した場合、防水シート貼替え等の改修時に、内壁面仕上げ材やサッシ枠等の出物が取り外しできない場合が一般的であり（例えば特許文献１参照）、その場合、立上がり部は、防水シートを仕上げ材の下端までしか貼り上げできず、内壁面仕上げ材が平場より３０〜５０ｍｍの高さ位置まで貼り下げられていた場合は、押え金物が使用できなかったりして、防水シート端末の防水納まりが完全にできないために、端末の防水納まり構造に問題を生ずる。さらには、間隙が狭く防水仕上げ作業もやりづらく、端末が完全に溶着接合されているか確認もできない。
【０００４】
また、窓や雨戸等サッシ部材などの出物は壁面より５０〜１００ｍｍ突き出るような形に取付けられることが通常で、平場との高さが３０〜５０ｍｍの場合は、奥の立上がり壁面まで防水シートが貼り込めず、内壁面仕上げ材の場合よりも改修が行ない難くなり、サッシ枠端末の平場で防水シートを溶着することになるため、端末の接合確認ができず防水性に問題が生ずる。
【０００５】
最近は、バリヤフリー構造にするため、サッシ位置をより低くする傾向になっており、改修時には立上がり部の防水納まり構造が問題となる場合が多い。
【特許文献１】特開２００２−３７１６５５号公報
【発明の開示】
【発明が解決しようとする課題】
【０００６】
防水シートの施工後に後付けでサイディング等の内壁面仕上げ材や窓や雨戸等サッシ部材などの出物が取付けられている一般住宅や集合住宅のバルコニーや緩勾配屋根等の立上がり部防水納まり構造において、改修後の防水信頼性を向上し、容易に改修できる立上がり部の防水納まり構造及びその改修方法を提案する。
【課題を解決するための手段】
【０００７】
上記の目的を達成するために本発明が講じた手段は、バルコニーや屋根の立上がり部防水納まり構造において、平場及び立上がり部に貼り込んだ平場防水シートと立上がり防水シートとを重ね貼りし、絶縁体を介してその上に絶縁体より幅の広い増し貼りシートで覆うようにし、該増し貼りシートを平場防水シート及び立上がり防水シートに重ね貼りする立上がり部の防水納まり構造とすることであり（請求項１）、請求項１に記載の立上がり部の防水納まり構造の改修時に、既設の増し貼りシートの下側端部を、既設の平場防水シートとの接合ラインに沿って切り裂き、中の絶縁体を取り出し、改修用の平場防水シートを既設の増し貼りシートと重なるように既設の平場防水シート上に重ね貼りし、改修用の平場防水シートと既設の増し貼りシートとを溶着接合する立上がり部防水改修方法とすることである（請求項２）。
【発明の効果】
【０００８】
本発明によれば、防水改修工事において、立上がり部の防水納まり工事が簡単に実施できるようになり、また、防水シート同士が完全に接合できるようにしたことで、防水信頼性が向上するとともに、仕上がり状態も改修前とほぼ同じ様な外観を保ち、サイディング等の内壁面仕上げ材やサッシ枠等の出物を取り外さなくてもよいため、改修工事を安価に実施することができる。
【発明を実施するための最良の形態】
【０００９】
以下、本発明の好適な実施の態様を詳細に説明する。
バルコニーやフラットルーフは軽量発泡コンクリート（ＡＬＣ）板や木毛セメント板等の無機質系或いは木質系下地で平場と立上がり部を略箱状に形成して成っている。
【００１０】
シートで防水層を形成するシート防水工法では、厚みが１．５〜２．５ｍｍの防水シート、増し貼りシートなどを使用する。防水シート、増し貼りシートには、樹脂製やゴム製のシートが使用され、接合性などの施工性を考えると樹脂製のシートが優位であり広範に使用されている。上記樹脂としては、塩化ビニル系樹脂、オレフィン系樹脂、アクリル系樹脂、熱可塑性エラストマー等がある。
本発明でも、これら樹脂製やゴム製の防水シート、増し貼りシートを使用することができるが、耐久性、施工性を考えると樹脂製のものがよく、中でも塩化ビニル系樹脂製の防水シート、増し貼りシートが好ましい。
【００１１】
本発明に使用する絶縁体としては、アルミニウム、ステンレスなどの金属板、ポリエステル樹脂、ポリプロピレン樹脂、ポリエチレン樹脂、硬質塩化ビニル樹脂、ＡＢＳ樹脂、ナイロン樹脂等樹脂製のシート、フィルム、架橋発泡シートなどを挙げることができる。
絶縁体は、増し貼りシートと防水シートとを熱溶着する際に１５０〜２００℃の熱の影響で溶融、軟化変形しない耐熱性のよいものが好ましく、増し貼りシートと防水シートとを溶剤溶着する際にテトラヒドロフラン（ＴＨＦ）やメチルエチルケトン（ＭＥＫ）等の溶剤で溶解、膨潤しない耐溶剤性のよいものが好ましい。また、樹脂系防水シートや増し貼りシートには可塑剤が含まれることもあり、該可塑剤で溶解、変形しない耐可塑剤性のよいものが好ましい。
【００１２】
絶縁体の厚みは０．１〜１ｍｍで、５０ｍｍ〜１００ｍｍ幅の平板状又は上片が５０〜１００ｍｍ、下片が１０〜５０ｍｍの略Ｌ字状に形成して使用する。絶縁体の厚みは、施工後の跡を目立たなくするためには薄いほうがよいが、施工性を考慮すると０．１〜０．５ｍｍの範囲が好ましい。
【００１３】
絶縁体は、改修時の取り外しを容易にするため、増し貼りシート及び防水シートとブロッキングし難いように表面を梨地調にすることが好ましい。また、絶縁体を覆う増し貼りシートをカットする際に、防水層の防水シートを傷付けないように、硬質の材料からなることが好ましい。
【実施例】
【００１４】
以下にバルコニーなどを樹脂製防水シートで施工する手順を図面を用いて説明する。
立上がり部には、建物外に面する内壁面側立上がり部（図１）とサッシや雨戸枠等の出物がある室内側立上がり部（図５）とがある。バルコニーなどの平場下地Ｃの上に平場防水シート２を立上がり部際まで貼り込む。貼り込みには、エポキシ樹脂系、ウレタン樹脂系、合成ゴム系等の接着剤で固定（接着固定）しても良いし、ホットメルト系樹脂、塩化ビニル系樹脂、オレフィン系樹脂等で被覆した固定金具又は成形板を用いて機械的に固定（機械固定）しても良い。
【００１５】
内壁面側立上がり部は、２００〜３００ｍｍの任意の高さから、立上がり用防水シート１を貼り下げてきて、４０〜６０ｍｍの幅で平場に敷設した平場防水シート２と重ね、熱又は溶剤で溶着接合し、防水層を確保する。内壁面側壁面下地Ｂ１に立上がり用防水シート１を貼り付ける方法は上記平場と同様に上記接着固定でも機械固定でも良い。次に、立上がり用防水シート１上に絶縁体４を貼り付け、その上に増し貼りシート３を貼り付ける。
【００１６】
平板状の絶縁体を使用する場合は（図１）、絶縁体４の貼付け位置上端より上の位置で増し貼りシート３の上部を立上がり防水シート２に１０〜２０ｍｍの幅で接合し、絶縁体４を立上がり防水シート１と増し貼りシート３間に差し込み、平場防水シート２と増し貼りシート３を１０〜２０ｍｍの幅で接合する。或いは、アクリル樹脂系両面粘着テープなどを使用して、絶縁体４を立上がり防水シート１に仮固定してから、絶縁体４より広幅の増し貼りシート３を立上がり防水シート１及び平場防水シート２に接合してもよい。
【００１７】
略Ｌ字状の絶縁体を使用する場合は（図３）、増し貼りシート３も略Ｌ字状のものを使用する。上記と同様に、増し貼りシート３の上片側を先に立上がり防水シート１に接合し、絶縁体４を立上がり防水シート１及び平場防水シート２と増し貼りシート３との間に差し込み、下片側を接合するか、又は、絶縁体４を先に立上がり防水シート１及び平場防水シート２に両面粘着テープで仮付け後、増し貼りシート３を立上がり防水シート１及び平場防水シート２と上下で接合する。
【００１８】
一方、室内側のサッシや雨戸枠等の出物部分では（図５）、壁面からの出物Ｄの突き出し寸法より４０〜１００ｍｍ程度大きい平板状の絶縁体４を平場防水シート２上に敷き、絶縁体４を覆うように増し貼りシート３を載置し、増し貼りシート３と平場防水シート２とを接合する。
【００１９】
内壁面立上がり部にはサィデイング材等の壁面仕上げ材を取り付け、室内側の開口部には、窓や雨戸等サッシ部材などの出物Ｄを取り付けて仕上げる。
【００２０】
防水シート貼り替え時等の改修方法を説明する。
平板状の絶縁体を使用した場合の内壁面立上がり部では、既設の増し貼りシート３と既設の立上がり防水シート１との接合ラインに沿って既設の増し貼りシート３を切り開いて捲り上げ、粘着テープなどで立上がり防水シート又は内壁面仕上げ材に仮留めする。中に挿入されている絶縁体４を取り除く。既設の平場防水シート２表面を酢酸エチル、塩化メチレン等の溶剤や水で洗浄し或いは洗浄を省略して、既設の防水シート上にエポキシ樹脂系、ウレタン樹脂系、合成ゴム系等の接着剤を塗布し、その上に改修の平場防水シート５を立上がり部際まで貼り付ける。改修の平場防水シート５は壁際で切ってもよいし、４０ｍｍほど立ち上げて、既設の立上がり防水シート１と溶着してもよい。次に、既設の増し貼りシートを改修の平場防水シート５上に重ね合わせて溶着接合し図２のように仕上げる。
【００２１】
略Ｌ字状の絶縁体を使用した場合の内壁面立上がり部では、既設の増し貼りシート３と既設の平場防水シート２との接合ラインに沿って既設の増し貼りシート３を切り開いて捲り上げ、粘着テープなどで立上がり防水シート２又は内壁面仕上げ材Ａに仮留めする。後は平板状の絶縁体を使用した場合と同様に、絶縁体４を取り除き、既設の平場防水シート２表面を洗浄してその上に改修の平場防水シート５を立上がり部際まで貼り付ける。次に、既設の増し貼りシート３を改修の平場防水シート５上に重ね合わせて溶着接合し図４のように仕上げる。
【００２２】
室内側では、サッシや雨戸枠等の出物Ｄが壁より突き出し、平場との隙間が狭くなっている。ここでは、先ず、既設の平場防水シート２と既設の増し貼りシート３の接合ラインに沿って既設の増し貼りシート３を切り開き、中に挿入されている絶縁体４を取り出す。次に、上記出物位置まで改修の平場防水シート５を既設の平場防水シート２上に貼り合わせるか、又は溶着しても良く、次に、既設の増し貼りシート３を改修の平場防水シート５上に重ね合わせながら溶着接合し図６のように仕上げる。
【産業上の利用可能性】
【００２３】
上述の通り本発明により、防水改修工事において、立上がり部の防水納まり工事が簡単に実施できるようになり、また、防水シート同士を完全に接合できるようにしたことで、防水信頼性が向上すると共に、仕上がり状態も改修前とほぼ同じ外観を保ち、サイディング等の内壁面仕上げ材やサッシ枠等を取り外さなくてもよいため、改修工事を安価に実施することができる。そのため一般住宅や集合住宅のバルコニーや緩勾配屋根の立上がり部の防水シート納まり構造として広く利用することができる。
【図面の簡単な説明】
【００２４】
【図１】本発明による立上がり部構造の１実施態様の模式断面図
【図２】図１に示す立上がり部構造の改修工事後の模式断面図
【図３】本発明による立上がり部構造の他の実施態様の模式断面図
【図４】図３に示す立上がり部構造の改修工事後の模式断面図
【図５】本発明による立上がり部構造のさらに他の実施態様の模式断面図
【図６】図５に示す立上がり部構造の改修工事後の模式断面図
【符号の説明】
【００２５】
Ａ    内壁面仕上げ材
Ｂ１  内壁面側壁面下地
Ｂ２  出物側壁面下地
Ｃ    平場下地
Ｄ    出物
１    立上がり防水シート
２    平場防水シート
３    増し貼りシート
４    絶縁体
５    改修の平場防水シート
【図１】
2007146367.tif 000003
【図２】
2007146367.tif 000004
【図３】
2007146367.tif 000005
【図４】
2007146367.tif 000006
【図５】
2007146367.tif 000007
【図６】
2007146367.tif 000008